(57)【特許請求の範囲】
【請求項１】
枠体の前面より取り付ける遊技盤を有するパチンコ遊技機において，
上記遊技盤は，上記枠体に設けた係合部に係合される被係合部と，該被係合部及び上記係合部を表面より覆う保護カバーとを有しており，
上記保護カバーは，表面部と，該表面部から後方に延びる側壁部とを有しており，かつ，上記側壁部の先端が上記被係合部と当接することにより，上記被係合部との間に上記係合部を配置することができるスペースを有するように開閉可能に設けてあると共に，上記被係合部に対して回動することにより開閉を行うよう構成してあり，
上記係合部は，上記枠体に設けた回転支持部によって回転可能に該枠体に取り付けてあり，当該係合部の先端側には，中心軸部より径方向に突出した係止部が設けてあり，
上記被係合部は，上記係合部の回転位置を所定の位置にしたときに上記係止部を挿入させることができる形状を有する貫通穴を有しており，該貫通穴に上記係止部を挿入し上記係合部を他の回転位置に回転させたときに，上記貫通穴の周辺に上記係止部を係止させるよう構成してあり，
上記遊技盤の遊技領域外であって，上記遊技盤の表面側より見て上記遊技領域の右側部分には，上記遊技盤の装飾を行うためのレール飾りが設けてあり，
上記被係合部は，上記レール飾りにおける上側部分及び下側部分にそれぞれ設けてあり，
上記保護カバーは，上記レール飾りの一部を形成する状態で該レール飾りに対して取り付けてあると共に，当該保護カバーの表面と当該レール飾りの表面とが略同一となるように設けてあることを特徴とするパチンコ遊技機。
【発明の詳細な説明】
【０００１】
【技術分野】
本発明は，枠体の前面より取り付ける遊技盤を有するパチンコ遊技機に関する。
【０００２】
【従来技術】
枠体の前面より遊技盤を取り付けてなるタイプのパチンコ遊技機においては，上記枠体に係合部を設けると共に上記遊技盤に上記係合部を係合する被係合部を設けている。そして，上記パチンコ遊技機は，上記係合部を上記被係合部に係合させることにより上記遊技盤を上記枠体に取り付けると共に，この遊技盤の表面側より透明の窓を有する開閉扉を配置してなる。
【０００３】
【解決しようとする課題】
しかしながら，上記遊技盤の被係合部を係合した上記枠体の係合部は，上記遊技盤の表面側に突出する。そのため，例えば，上記遊技盤に対して上記開閉扉を開けて各種メンテナンスを行う際には，上記突出した係合部に誤って物体を干渉させてこの係合部と被係合部との係合が外れたり，係合部を破損させてしまうおそれがある。
また，上記遊技盤を上記枠体に取り付け，この遊技盤の表面側より上記開閉扉を閉じた後においても，上記透明の窓から上記係合部が見えるため，意匠性を損ねるおそれがある。
【０００４】
本発明は，かかる従来の問題点に鑑みてなされたもので，遊技盤を係合する係合部を保護すると共に意匠性にも優れたパチンコ遊技機を提供しようとするものである。
【０００５】
【課題の解決手段】
本発明は，枠体の前面より取り付ける遊技盤を有するパチンコ遊技機において，
上記遊技盤は，上記枠体に設けた係合部に係合される被係合部と，該被係合部及び上記係合部を表面より覆う保護カバーとを有しており，
上記保護カバーは，表面部と，該表面部から後方に延びる側壁部とを有しており，かつ，上記側壁部の先端が上記被係合部と当接することにより，上記被係合部との間に上記係合部を配置することができるスペースを有するように開閉可能に設けてあると共に，上記被係合部に対して回動することにより開閉を行うよう構成してあり，
上記係合部は，上記枠体に設けた回転支持部によって回転可能に該枠体に取り付けてあり，当該係合部の先端側には，中心軸部より径方向に突出した係止部が設けてあり，
上記被係合部は，上記係合部の回転位置を所定の位置にしたときに上記係止部を挿入させることができる形状を有する貫通穴を有しており，該貫通穴に上記係止部を挿入し上記係合部を他の回転位置に回転させたときに，上記貫通穴の周辺に上記係止部を係止させるよう構成してあり，
上記遊技盤の遊技領域外であって，上記遊技盤の表面側より見て上記遊技領域の右側部分には，上記遊技盤の装飾を行うためのレール飾りが設けてあり，
上記被係合部は，上記レール飾りにおける上側部分及び下側部分にそれぞれ設けてあり，
上記保護カバーは，上記レール飾りの一部を形成する状態で該レール飾りに対して取り付けてあると共に，当該保護カバーの表面と当該レール飾りの表面とが略同一となるように設けてあることを特徴とするパチンコ遊技機にある（請求項１）。
【０００６】
本発明の遊技盤における上記保護カバーは，上記被係合部との間に上記係合部を配置することができるスペースを有している。そのため，上記被係合部に上記枠体の係合部を係合させて，上記遊技盤を上記枠体に取り付けた際には，上記係合部を上記スペースに配置することができる。そして，上記保護カバーにより，上記被係合部及びこの被係合部に係合した上記係合部を表面側より覆うことができる。
【０００７】
そのため，上記遊技盤を枠体に取り付けた後には，上記係合部が上記遊技盤の表面側に突出しないようにすることができる。そのため，上記保護カバーにより，例えば，各種メンテナンスのとき等に誤って上記係合部に他のものが干渉して，係合部と被係合部との係合が外れたり，係合部が破損したりすることを防止するよう保護することができる。
【０００８】
また，上記のごとく，上記遊技盤の表面側に突出した係合部は，上記保護カバーによって覆われるため，外部より見えることがない。そのため，本発明のパチンコ遊技機は意匠性にも優れている。
また，上記保護カバーは，上記遊技盤において，開閉可能に設けられている。そのため，上記保護カバーを開閉させて上記係合部と上記被係合部との係合及び係合の解除を行うことにより，上記遊技盤は上記枠体との間で何度でも着脱を行うことができる。
【０００９】
【発明の実施の形態】
上述した本発明における好ましい実施の形態につき説明する。
上記保護カバーは，回動によって開閉可能である。これにより，上記保護カバーが，上記遊技盤に取り付いたまま開閉させる構造を容易に得ることができる。そして，上記保護カバーの開閉時に，これを上記遊技盤に取り付けたままにすることができるので，上記枠体に対する遊技盤の着脱も容易になる。
【００１０】
また，上記保護カバーは，上記被係合部を設けた取付部に対して取り付けることができる。
この場合，例えば，上記保護カバーは，予め上記取付部に取り付けておき，この取付部を上記遊技盤に取り付けると同時に遊技盤に取り付けることができる。そのため，例えば，合成樹脂より形成した取付部及び保護カバーを一体化した後，これをベニヤ板を使用して形成した遊技盤に対して取り付けることができ，この取付が容易である。
【００１１】
また，上記遊技盤には，該遊技盤の遊技領域外に配置するレール飾りを設け，上記取付部及び上記保護カバーは上記レール飾りに対して取り付けている。
これにより，上記取付部及び保護カバーは，予め上記レール飾りに取り付けておき，このレール飾りを上記遊技盤に取り付けると同時に遊技盤に取り付けることができる。そのため，例えば，合成樹脂より形成した取付部，保護カバー及びレール飾りを一体化した後，これをベニヤ板を使用して形成した遊技盤に対して取り付けることができ，この取付が容易である。
【００１２】
また，上記保護カバーの表面には証紙を貼り付けるための貼付面を設けることができる。
この場合，上記保護カバーは，上記証紙を貼り付けるための証紙台としての役割を果たすこともできる。
【００１３】
また，上記レール飾りには，上記遊技盤における案内レールと接触する弾性変形可能な導電部材よりなるアース用集電端子を設けることができる。
この場合，上記レール飾りを利用して，上記案内レールのアース処理を行うことができる。そのため，この案内レールのアース処理を遊技盤より直接行わなくてもよく，遊技盤の構造を簡単にすることができる。
【００１４】
【実施例】
以下に，図面を用いて本発明の実施例につき説明する。
（実施例１）
図１〜図４に示すごとく，本例のパチンコ遊技機１は，枠体２の前面２０１より取り付ける遊技盤３を有してなる。
上記遊技盤３は，上記枠体２に設けた係合部２１に係合可能な被係合部３１１を有する取付部３１と，上記被係合部３１１及びこの被係合部３１１に係合した上記係合部２１を上記遊技盤３の表面３０１側より覆う保護カバー４とを有している。また，この保護カバー４は，上記被係合部３１１との間に上記係合部２１を配置することができるスペース４１を有して開閉可能に設けてある。
【００１５】
以下に，これを詳説する。
図３，図５に示すごとく，上記保護カバー４は，上記取付部３１に対して開閉可能に設けられており，上記取付部３１に取り付いたまま開閉させることができる。具体的には，上記保護カバー４には，一対の軸部４３が設けてあり，上記取付部３１には，上記各軸部を挿入配置する軸穴３１６をそれぞれ有する一対の支持部３１５が設けてある。そして，上記保護カバー４は，上記軸部４３の上記軸穴３１６への挿入配置により上記取付部３１に対して回動することにより開閉を行うことができる。また，上記保護カバー４の開閉時には，これを上記遊技盤３に取り付けたままにすることができるので，上記枠体２に対する遊技盤３の着脱も容易になる。
【００１６】
また，上記保護カバー４には掛止爪４４（図４参照）が設けてあると共に，上記取付部３１には上記掛止爪４４に掛止される掛止穴３１４（図２参照）が設けてある。そして，上記保護カバー４を上記取付部３１に対して閉じた際には，上記掛止爪４４が上記掛止穴３１４に掛止されて，上記保護カバー４が振動等によって開いてしまわないようになっている。
【００１７】
また，図２に示すごとく，上記取付部３１は，上記遊技盤３に取り付けられており，上記保護カバー４は，上記取付部３１を介して上記遊技盤３に取り付けられている。この構造により，上記保護カバー４は，予め上記取付部３１に取り付けておき，この取付部３１を上記遊技盤３に取り付けると同時に遊技盤３に取り付けることができる。
【００１８】
また，図１に示すごとく，上記遊技盤３の遊技領域外には，遊技盤３の装飾を行うためのレール飾り５が設けてある。そして，上記保護カバー４は，上記レール飾り５の一部を形成するようにして設けてあり，保護カバー４の表面４０１とレール飾り５の表面５０１とは略面一になっている。
【００１９】
また，図３，図４に示すごとく，上記係合部２１は，上記枠体２に設けた回転支持部２２によって回転可能に枠体２に取り付けられている。また。係合部２１の先端側には，中心軸部２１２より左右に突出した係止部２１３が設けてある。
また，図２に示すごとく，上記被係合部３１１は，上記取付部３１に上記係止部２１３を挿入させることができる形状を有する貫通穴３１２と，この貫通穴３１２に上記掛止部２１３を挿入し回転させて掛止した後に，この掛止部２１３の回転を止める回転止め３１３とを有して形成されている。
【００２０】
また，図３，図４に示すごとく，上記遊技盤３には，上記枠体２に設けた係合部２１の係止部２１３を遊技盤３の表面３０１側に突出させるために，遊技盤３の一部を切り欠いて形成した切欠き部３２を有している。
なお，上記取付部３１，保護カバー４及びレール飾り５は合成樹脂より形成してあり，上記遊技盤３はベニヤ板を使用して形成してある。
また，上記保護カバー４の表面４０１には，証紙を貼り付けるための貼付面４２が設けられている。
【００２１】
図５に示すごとく，上記取付部３１，保護カバー４及びレール飾り５を取り付けた遊技盤３を，上記係合部２１を設けた枠体２に取り付ける際には，上記係合部２１の係止部２１３を上記取付部３１の被係合部３１１における貫通穴３１２に挿入することができる位置に回転させておく。そして，上記枠体２の前面２０１より上記遊技盤３を合わせるようにして，上記被係合部３１１に上記係止部２１３を挿入する。
【００２２】
次いで，上記係止部２１３を上記回転支持部２２に対して回転させて，上記係止部２１３により上記貫通穴３１２を係止して，上記遊技盤３を上記枠体２に取り付ける。その後，上記保護カバー４を回転させて，この保護カバー４により上記被係合部３１１とこの被係合部３１１に係合した係合部２１とを遊技盤３の表面３０１側より覆う。こうして，上記遊技盤３を上記枠体２に取り付ける。
なお，上記遊技盤３を上記枠体２より取り外す際には，上記取付の際の順序と反対の順序の操作を行えばよく，上記遊技盤３は上記枠体２との間で何度でも着脱を繰り返すことができる。
【００２３】
上記のごとく，上記保護カバー４は，上記被係合部３１１との間に上記係合部２１を配置することができるスペース４１を有している。そのため，上記取付部３１に設けた被係合部３１１に上記枠体２の係合部２１を係合させて，上記遊技盤３を上記枠体２に取り付けた際には，上記係合部２１を上記スペース４１に配置することができる。そして，上記保護カバー４により，上記被係合部３１１及びこの被係合部３１１に係合した上記係合部２１を上記遊技盤３の表面３０１側より覆うことができる。
【００２４】
そのため，上記遊技盤３を枠体２に取り付けた後には，上記係合部２１が上記取付部３１及び遊技盤３の表面３０１側に突出しないようにすることができる。そのため，上記保護カバー４により，例えば，各種メンテナンスのとき等に誤って上記係合部２１に他のものが干渉して，係合部２１と被係合部３１１との係合が外れたり，係合部２１が破損したりすることから，係合部２１を保護することができる。
【００２５】
また，上記のごとく，上記取付部３１及び遊技盤３の表面３０１側に突出した係合部２１は，上記保護カバー４によって覆われるため，上記パチンコ遊技機１の外部より見えることがない。そのため，本発明のパチンコ遊技機１は意匠性にも優れている。
また，図１，図４に示すごとく，上記保護カバー４は，上記遊技盤３において，開閉可能に設けられている。そのため，上記保護カバー４を開閉させて上記係合部２１と上記被係合部３１１との係合及び係合の解除を行うことにより，上記遊技盤３は上記枠体２との間で何度でも着脱を行うことができる。
【００２６】
（実施例２）
図６〜図８に示すごとく，本例の遊技盤３には，この遊技盤３の遊技領域３５外に配置するレール飾り５が設けてあり，上記取付部３１及び上記保護カバー４は上記レール飾り５に対して取り付けてある。そして，上記保護カバー４は，上記レール飾り５に対して開閉可能になっている。
また，図９，図１０に示すごとく，上記レール飾り５において，上記案内レール３３に対向する対向部５０には，上記遊技盤３における案内レール３３と接触する弾性変形可能な導電部材よりなるアース用集電端子５１を設けている。
【００２７】
以下に，これを詳説する。
図７に示すごとく，本例の保護カバー４は，取付部材５３により上記レール飾り５に対して回転可能に取り付けられている。具体的には，保護カバー４は，上記取付部材５３を上記レール飾り５に取り付ける際に，取付部材５３とレール飾り５との間に形成した連通穴５３１に，上記保護カバー４に設けた軸部４３を挿入配置することによって回転可能になっている。
【００２８】
図１１に示すごとく，上記取付部３１及び保護カバー４を配設するレール飾り５は，上記遊技盤３の表面３０１側より見て上記遊技領域３５の右側に配設してある。そして，上記保護カバー４及び保護カバー４の配設位置に設けた取付部３１は，上記レール飾り５の下側部分に位置しており，上記取付部３１は，上記レール飾り５の上側部分にも配設されている。
また，図示は省略するが，上記被係合部３１１を有する取付部３１及び上記係合部２１は，上記遊技盤３の表面３０１側より見て上記遊技領域３５の左側にも配設されている。そして，上記遊技盤３は，上下左右の４ヶ所に設けた取付部３１の被係合部３１１に各係合部２１を係合することによって上記枠体２に取り付けられている。
【００２９】
また，上記案内レール３３は，遊技球を外側からガイドする外レール３３１と，この外レール３３１の内側に分離して設けた内レール３３２とよりなる。そして，外レール３３１，内レール３３２及びレール飾り５の一部によって，上記遊技盤３における遊技領域３５を形成している。
【００３０】
また，図６に示すごとく，本例では，上記アース用集電端子５１は，上記レール飾り５に複数設けてあり，上側のアース用集電端子５１１は上記外レール３３１に接触し，下側のアース用集電端子５１２は上記内レール３３２に接触している。また，上記上側のアース用集電端子５１１と上記下側のアース用集電端子５１２とは，上記レール飾り５の内部において，電線５２１により互いに電気的に接続してある。
そして，本例では，上側のアース用集電端子５１１に電線５２２が取り付けてあり，この電線５２２をパチンコ遊技機１の裏面側のグランド部に配線して導通させることにより，上記外レール３３１及び内レール３３２のアース処理を行っている。
【００３１】
また，図８に示すごとく，本例では，上記保護カバー４に掛止爪４４が設けてあると共に，上記レール飾り５に上記掛止爪４４に掛止される掛止穴３１４が設けてあり，上記保護カバー４を上記レール飾り５に対して閉じた際に，上記掛止爪４４が上記レール飾り５の掛止穴３１４に掛止される。
その他は上記実施例１と同様である。
【００３２】
本例の取付部３１及び保護カバー４は，予め上記レール飾り５に取り付けておき，このレール飾り５を上記遊技盤３に取り付けると同時に遊技盤３に取り付けることができる。そのため，合成樹脂より形成した取付部３１，保護カバー４及びレール飾り５を一体化した後，これをベニヤ板を使用して形成した遊技盤３に対して取り付けることができ，この取付が容易である。
【００３３】
また，本例においては，上記アース用集電端子５１により，上記レール飾り５を利用して上記案内レール３３のアース処理を行うことができる。そのため，この案内レール３３のアース処理を遊技盤３より直接行わなくてもよく，遊技盤３の構造を簡単にすることができる。その他，上記実施例１と同様の作用効果を得ることができる。
【図面の簡単な説明】
【図１】実施例１における，パチンコ遊技機の保護カバーの取付構造を示す平面図。
【図２】実施例１における，パチンコ遊技機の取付部を示す図で，取付部の被係合部に枠体の係合部を係合させた状態を示す平面図。
【図３】実施例１における，パチンコ遊技機の保護カバーの取付構造を示す図で，図１のＡ−Ａ線矢視断面説明図。
【図４】実施例１における，パチンコ遊技機の保護カバーの取付構造を示す図で，図１のＢ−Ｂ線矢視断面説明図。
【図５】実施例１における，保護カバーを開けて，遊技盤を枠体との間で着脱する状態を示す断面説明図。
【図６】実施例２における，パチンコ遊技機の保護カバーの取付構造を示す平面図。
【図７】実施例２における，パチンコ遊技機の保護カバーの取付構造を示す図で，図６のＡ−Ａ線矢視断面説明図。
【図８】実施例２における，パチンコ遊技機の保護カバーの取付構造を示す図で，図６のＢ−Ｂ線矢視断面説明図。
【図９】実施例２における，レール飾りに設けた上側のアース用集電端子が遊技盤に設けた外レールに接触している状態を示す図で，図６のＣ−Ｃ線矢視断面説明図。
【図１０】実施例２における，レール飾りに設けた下側のアース用集電端子が遊技盤に設けた内レールに接触している状態を示す図で，図６のＤ−Ｄ線矢視断面説明図。
【図１１】実施例２における，パチンコ遊技機の遊技盤へのレール飾りの配設位置を示す平面図。
【符号の説明】
１．．．パチンコ遊技機，
２．．．枠体，
２０１．．．前面，
２１．．．係合部，
３．．．遊技盤，
３０１．．．表面，
３１．．．取付部，
３１１．．．被係合部，
４．．．保護カバー，
４１．．．スペース，
４２．．．貼付面，
５．．．レール飾り，
【図１】
0004233793.tif 000002
【図２】
0004233793.tif 000003
【図３】
0004233793.tif 000004
【図４】
0004233793.tif 000005
【図５】
0004233793.tif 000006
【図６】
0004233793.tif 000007
【図７】
0004233793.tif 000008
【図８】
0004233793.tif 000009
【図９】
0004233793.tif 000010
【図１０】
0004233793.tif 000011
【図１１】
0004233793.tif 000012